(57)【特許請求の範囲】
【請求項１】
他の通信端末と通信する通信端末であって、
ビデオ会議のための複数の異なる通信アプリケーションを記憶する記憶手段と、
選択可能な前記ビデオ会議のための通信の開始を要求する宛先候補の一覧を表示させる表示制御手段と、
前記他の通信端末から当該他の通信端末を識別するための特定の端末識別情報を近距離無線通信によって取得した移動体端末から、前記特定の端末識別情報を近距離無線通信によって取得する取得手段と、
前記宛先候補の一覧からユーザによって宛先候補が選択されずに前記取得手段によって前記特定の端末識別情報が取得された場合に、当該特定の端末識別情報を宛先として、前記記憶手段に記憶された複数の異なる通信アプリケーションのうち、前記特定の端末識別情報に基づいて選択された特定の通信アプリケーションによってビデオ会議のための通信を開始する要求を行う開始手段と、
を有することを特徴とする通信端末。
【請求項２】
前記開始手段は、前記表示制御手段によって宛先候補の一覧を表示させた状態で、前記宛先候補の一覧からユーザによって宛先候補が選択されずに前記取得手段によって前記特定の端末識別情報が取得された場合に、前記特定の端末識別情報に基づいて選択された特定の通信アプリケーションによってビデオ会議のための通信を開始する要求を行うことを特徴とする請求項１に記載の通信端末。
【請求項３】
請求項１又は２に記載の通信端末であって、
前記記憶手段は、前記通信端末の宛先として通信可能な所定の通信端末のそれぞれの所定の端末識別情報を含む宛先情報を記憶し、
前記取得手段によって取得された前記特定の端末識別情報が前記宛先情報に含まれている場合には、前記開始手段は、前記特定の端末識別情報で識別される前記他の通信端末に対して通信を開始する処理を行うことを特徴とする通信端末。
【請求項４】
請求項３に記載の通信端末であって、
前記取得手段によって取得された前記特定の端末識別情報が前記宛先情報に含まれているかを判断する判断手段を有し、
前記判断手段によって前記特定の端末識別情報が含まれていると判断された場合には、前記開始手段は、前記特定の端末識別情報で識別される前記他の通信端末に対して、通信を開始する処理を行なうことを特徴とする通信端末。
【請求項５】
請求項１乃至４のいずれか一項に記載の通信端末であって、
前記取得手段によって取得された前記特定の端末識別情報の記述形式に基づいて、前記ビデオ会議のための複数の異なる通信アプリケーションのうち特定の通信アプリケーションを起動する起動手段を有し、
前記特定の通信アプリケーションにより実現した前記開始手段は、前記特定の端末識別情報で識別される前記他の通信端末に対して通信を開始する処理を行うことを特徴とする通信端末。
【請求項６】
請求項５に記載の通信端末であって、
前記取得手段によって取得された前記特定の端末識別情報の記述形式に基づいて、前記ビデオ会議のための複数の異なる通信アプリケーションのうち前記特定の通信アプリケーションを選択する選択手段を有し、
前記起動手段は、前記選択された特定の通信アプリケーションを起動することを特徴とする通信端末。
【請求項７】
前記近距離無線通信は、ＮＦＣ又はＢｌｕｅｔｏｏｔｈによる通信であることを特徴とする請求項１乃至６に記載の通信端末。
【請求項８】
前記通信端末及び前記他の通信端末は、ビデオ会議端末、電子黒板、プロジェクタ、ＩＰ電話機、インターネット電話機、カーナビゲーション端末、監視カメラ、プリンタ、ＦＡＸ、ＭＦＰ、電子内視鏡、又は放射線治療装置であることを特徴とする請求項１乃至７のいずれか一項に記載の通信端末。
【請求項９】
請求項１乃至８いずれか一項に記載の通信端末と、
前記他の通信端末と、
前記通信端末及び前記他の通信端末の通信を管理する通信管理システムと、
を有することを特徴とする通信システム。
【請求項１０】
前記開始手段は、前記通信管理システムに対して前記他の通信端末と通信を開始する要求を送信することを特徴とする請求項９に記載の通信システム。
【請求項１１】
請求項９又は１０に記載の通信システムであって、
前記通信端末及び前記他の通信端末間で、コンテンツデータを中継する中継装置を有することを特徴とする通信システム。
【請求項１２】
請求項９乃至１１のいずれか一項に記載の通信システムであって、
前記移動体端末を有することを特徴とする通信システム。
【請求項１３】
前記移動体端末は、スマートフォン、携帯電話機、デジタルカメラ、携帯ゲーム機、ＩＣカード、スマートウォッチ、ヘッドマウントディスプレイであることを特徴とする請求項１２に記載の通信システム。
【請求項１４】
ビデオ会議のための複数の異なる通信アプリケーションを記憶する記憶手段を有し、他の通信端末と通信する通信端末が実行する通信方法であって、
選択可能な前記ビデオ会議のための通信の開始を要求する宛先候補の一覧を表示画面に表示させる表示制御ステップと、
前記他の通信端末から当該他の通信端末を識別するための特定の端末識別情報を近距離無線通信によって取得した移動体端末から、前記特定の端末識別情報を近距離無線通信によって取得する取得ステップと、
前記宛先候補の一覧からユーザによって宛先候補が選択されずに前記取得ステップによって前記特定の端末識別情報が取得された場合に、当該特定の端末識別情報を宛先として、前記記憶手段に記憶された複数の異なる通信アプリケーションのうち、前記特定の端末識別情報に基づいて選択された特定の通信アプリケーションによってビデオ会議のための通信を開始する要求を行う開始ステップと、
を実行することを特徴とする通信方法。
【請求項１５】
コンピュータに、請求項１４に記載の各ステップを実行させることを特徴とするプログラム。
【発明の詳細な説明】
【技術分野】
【０００１】
本発明は、通信端末、通信システム、通信方法、及びプログラムに関する。
【背景技術】
【０００２】
近年、出張経費及び出張時間の削減要請に伴い、遠隔地とビデオ会議（「テレビ会議」ともいう）を行うためのビデオ会議システムが普及している。このようなビデオ会議システムでは、複数のビデオ会議端末等の通信端末間で、画像データ及び音データの送受信を行うことで、会話（通信）を実現している（特許文献１参照）。
【発明の概要】
【発明が解決しようとする課題】
【０００３】
しかしながら、所定の通信端末から他の通信端末と通信を開始する場合、所定の通信端末の利用者は、宛先リスト等の宛先情報の中から、所望の端末識別情報を選択する必要がある。この場合、宛先情報に多数の他の通信端末が登録されていると、利用者が所望の端末識別情報を探し出すために時間が掛かってしまうため、迅速に通信を開始することができないという課題が生じている。
【課題を解決するための手段】
【０００４】
請求項１に係る発明は、他の通信端末と通信する通信端末であって、ビデオ会議のための複数の異なる通信アプリケーションを記憶する記憶手段と、選択可能な通信の開始を要求する宛先候補の一覧を表示画面に表示させる表示制御手段と、前記他の通信端末から当該他の通信端末を識別するための特定の端末識別情報を近距離無線通信によって取得した移動体端末から、前記特定の端末識別情報を近距離無線通信によって取得する取得手段と、前記宛先候補の一覧からユーザによって宛先候補が選択されずに前記取得手段によって前記特定の端末識別情報が取得された場合に、当該特定の端末識別情報を宛先として、前記記憶手段に記憶された複数の異なる通信アプリケーションのうち、前記特定の端末識別情報に基づいて選択された特定の通信アプリケーションによってビデオ会議のための通信を開始する要求を行う開始手段と、を有することを特徴とする通信端末である。
【発明の効果】
【０００５】
以上説明したように本発明によれば、他の通信端末が宛先情報に登録されているか否かに拘わらず、迅速に通信を開始することができるという効果を奏する。
【図面の簡単な説明】
【０００６】
【図１】本実施形態の通信システムのうちビデオ会議の通信部分を示した概略図である。
【図２】本実施形態に係るビデオ会議端末のハードウェア構成図である。
【図３】本実施形態に係る通信管理システム及び中継装置のハードウェア構成図である。
【図４】本実施形態に係る電子黒板のハードウェア構成図である。
【図５】本実施形態に係るスマートフォンのハードウェア構成図である。
【図６】（ａ）は本実施形態に係るビデオ会議端末のソフトウェア構成図、（ｂ）は本実施形態に係る電子黒板のソフトウェア構成図である。
【図７】本実施形態に係る通信システムの全体構成図である。
【図８】本実施形態に係る通信システムの各機能ブロック図である。
【図９】認証管理テーブルを示す概念図である。
【図１０】端末管理テーブルを示す概念図である。
【図１１】宛先リスト管理テーブルを示す概念図である。
【図１２】追加要求管理テーブルを示す概念図である。
【図１３】近距離通信回路内のデータ構造を示す概念図である。
【図１４】端末識別情報の提供処理を示したシーケンス図である。
【図１５】端末識別情報を提供する際の提供画面を示した図である。
【図１６】通信の準備処理を示したシーケンス図である。
【図１７】宛先リストを示した画面例である。
【図１８】端末識別情報の提供処理を示したシーケンス図である。
【図１９】宛先の特定処理を示したフローチャートである。
【図２０】宛先リストへの追加処理を示したシーケンス図である。
【図２１】宛先リストへの追加承認をする場合の画面例を示した図である。
【図２２】通信システムを利用した画像・音の通信方法を示したシーケンス図である。
【発明を実施するための形態】
【０００７】
以下、図面を用いて、本発明の一実施形態について説明する。
【０００８】
＜＜通信システムの全体構成＞＞
まず、図１を用いて、複数の通信端末１０，７０間でビデオ会議を行なうための通信システム１について説明する。図１は、本実施形態の通信システムのうちビデオ会議の通信部分を示した概略図である。
【０００９】
なお、「ビデオ会議」ではなく「テレビ会議」と呼ばれる場合もある。また、ここでは、一例として、ビデオ会議について説明するが、単なる会話であってもよい。
【００１０】
通信システム１は、複数の通信端末１０，７０、中継装置３０、及び通信管理５０によって構築されている。通信端末１０，７０は、コンテンツデータの一例としての画像データ及び音データの送受信による通信を行なう。図１では、通信端末１０の一例としてビデオ会議端末が示され、通信端末７０の一例として電子黒板が示されている。なお、画像データの画像は、動画であっても静止画であってもよく、動画と静止画の両方であってもよい。
【００１１】
また、ビデオ会議の開始を要求する要求元としての通信端末は「要求元端末」と表され、要求先である宛先（中継先）としての通信端末は「宛先端末」と表されている。図１では、通信端末１０が要求元端末として、通信端末７０が宛先端末として表されている。但し、通信端末７０からビデオ会議の開始を要求する場合は、通信端末７０が要求元端末となり、通信端末１０が宛先端末となる。なお、各通信端末１０，７０は、複数の事業所間での通信や、同じ事業所内の異なる部屋間での通信だけでなく、同じ部屋内での通信や、屋外と屋内又は屋外と屋外での通信で使われてもよい。
【００１２】
中継装置３０は、複数の通信端末１０，７０間で、コンテンツデータを中継する処理を行なう。通信管理システム５０は、通信端末１０，７０からのログイン認証、通信端末１０、７０の通信状況の管理、宛先リストの管理、及び中継装置３０の通信状況等を一元的に管理する。なお、中継装置３０、及び通信管理システム５０は、単一のコンピュータによって構築されてもよいし、各部（機能又は手段）を分割して任意に割り当てられた複数のコンピュータによって構築されていてもよい。
【００１３】
また、通信システム１において、要求元端末と宛先端末との間では、通信管理システム５０を介して、各種の管理情報を送受信するための管理情報用セッションｓｅｉが確立される。また、要求元端末と宛先端末との間では、中継装置３０を介して、高解像度の画像データ、中解像度の画像データ、低解像度の画像データ、及び音データの４つの各データを送受信するための４つのセッションが確立される。図１では、これら４つのセッションをまとめて、画像・音データ用セッションｓｅｄとして示している。なお、画像・音データ用セッションｓｅｄは、必ずしも４つのセッションである必要はなく、４つのセッション数より少ない又は多いセッション数であってもよい。また、要求元端末と宛先端末との間で、中継装置３０を介さずに、直接、通信セッションを確立してもよい。
【００１４】
ここで、本実施形態で扱われる画像データの画像の解像度について説明する。低解像度の画像データは、例えば、横が１６０画素、縦が１２０画素から成り、ベース画像となる。中解像度の画像データは、横が３２０画素、縦が２４０画素から成る。高解像度の画像データは、例えば、横が６４０画素、縦が４８０画素から成る。このうち、狭帯域経路を経由する場合には、ベース画像となる低解像度の画像データのみから成る低画質の画像データが中継される。帯域が比較的広い場合には、ベース画像となる低解像度の画像データ、及び中解像度の画像データから成る中画質の画像データが中継される。また、帯域が非常に広い場合には、ベース画質となる低解像度の画像データ、中画解像度の画像データ、及び高解像度の画像データから成る高画質の画像データが中継される。音データは、画像データに比べてデータ量が少ないため、狭帯域経路であっても中継される。
【００１５】
＜＜実施形態のハードウェア構成＞＞
次に、本実施形態のハードウェア構成を説明する。
【００１６】
＜通信端末１０のハードウェア構成＞
図２は、本実施形態に係る通信端末１０のハードウェア構成図である。図２に示されているように、本実施形態の通信端末１０の一例としてのビデオ会議端末は、ＣＰＵ１０１、ＲＯＭ１０２、ＲＡＭ１０３、フラッシュメモリ１０４、ＳＳＤ１０５、メディアＩ／Ｆ１０７、操作ボタン１０８、電源スイッチ１０９、バスライン１１０、ネットワークＩ／Ｆ１１１、カメラ１１２、撮像素子Ｉ／Ｆ、マイク１１４、スピーカ１１５、音入出力Ｉ／Ｆ１１６、ディスプレイＩ／Ｆ１１７、外部機器接続Ｉ／Ｆ１１８、近距離通信回路１１９、近距離通信回路１１９のアンテナ１１９ａを備えている。これらのうち、ＣＰＵ(Central Processing Unit)１０１は、通信端末１０全体の動作を制御する。ＲＯＭ(Read Only Memory)１０２は、ＩＰＬ(Initial Program Loader)等のＣＰＵ１０１の駆動に用いられるプログラムを記憶する。ＲＡＭ(Random Access Memory)１０３は、ＣＰＵ１０１のワークエリアとして使用される。フラッシュメモリ１０４は、通信用プログラム、画像データ、及び音データ等の各種データを記憶する。ＳＳＤ（Solid State Drive）１０５は、ＣＰＵ１０１の制御にしたがってフラッシュメモリ１０４に対する各種データの読み出し又は書き込みを制御する。なお、ＳＳＤに代えてＨＤＤを用いてもよい。メディアＩ／Ｆ１０７は、フラッシュメモリ等の記録メディア１０６に対するデータの読み出し又は書き込み（記憶）を制御する。操作ボタン１０８は、通信端末１０の宛先を選択する場合などに操作されるボタンである。電源スイッチ１０９は、通信端末１０の電源のＯＮ／ＯＦＦを切り換えるためのスイッチである。
【００１７】
また、ネットワークＩ／Ｆ(Interface)１１１は、インターネット等の通信ネットワーク２を利用してデータ通信をするためのインターフェースである。カメラ１１２は、ＣＰＵ１０１の制御に従って被写体を撮像して画像データを得る内蔵型の撮像手段の一種である。撮像素子Ｉ／Ｆ１１３は、カメラ１１２の駆動を制御する回路である。マイク１１４は、音声を入力する内蔵型の集音手段の一種である。音入出力Ｉ／Ｆ１１６は、ＣＰＵ１０１の制御に従ってマイク１１４及びスピーカ１１５との間で音信号の入出力を処理する回路である。ディスプレイＩ／Ｆ１１７は、ＣＰＵ１０１の制御に従って外付けのディスプレイ１２０に画像データを送信する回路である。外部機器接続Ｉ／Ｆ１１８は、各種の外部機器を接続するためのインターフェースである。近距離通信回路１１９は、ＮＦＣ(Near Field Communication)（登録商標）、Ｂｌｕｅｔｏｏｔｈ（登録商標）等の通信回路である。
【００１８】
また、バスライン１１０は、図２に示されているＣＰＵ１０１等の各構成要素を電気的に接続するためのアドレスバスやデータバス等である。
【００１９】
ディスプレイ１２０は、被写体の画像や操作用アイコン等を表示する液晶や有機ＥＬによって構成された表示手段の一種である。また、ディスプレイ１２０は、ケーブル１２０ｃによってディスプレイＩ／Ｆ１１７に接続される。このケーブル１２０ｃは、アナログＲＧＢ（ＶＧＡ）信号用のケーブルであってもよいし、コンポーネントビデオ用のケーブルであってもよいし、ＨＤＭＩ(High-Definition Multimedia Interface)やＤＶＩ(Digital Video Interactive)信号用のケーブルであってもよい。
【００２０】
なお、カメラ１１２は、レンズや、光を電荷に変換して被写体の画像（映像）を電子化する固体撮像素子を含み、固体撮像素子として、ＣＭＯＳ(Complementary Metal Oxide Semiconductor)や、ＣＣＤ（Charge Coupled Device）等が用いられる。外部機器接続Ｉ／Ｆ１１８には、ＵＳＢ(Universal Serial Bus)ケーブル等によって、外付けカメラ、外付けマイク、及び外付けスピーカ等の外部機器がそれぞれ接続可能である。外付けカメラが接続された場合には、ＣＰＵ１０１の制御に従って、内蔵型のカメラ１１２に優先して、外付けカメラが駆動する。同じく、外付けマイクが接続された場合や、外付けスピーカが接続された場合には、ＣＰＵ１０１の制御に従って、それぞれが内蔵型のマイク１１４や内蔵型のスピーカ１１５に優先して、外付けマイクや外付けスピーカが駆動する。
【００２１】
また、記録メディア１０６は、通信端末１０に対して着脱自在な構成となっている。また、ＣＰＵ１０１の制御にしたがってデータの読み出し又は書き込みを行う不揮発性メモリであれば、フラッシュメモリ１０４に限らず、ＥＥＰＲＯＭ（Electrically Erasable and Programmable ROM）等を用いてもよい。
【００２２】
＜通信管理システム及び中継装置のハードウェア構成＞
図３は、本実施形態に係る通信管理システム５０及び中継装置３０のハードウェア構成図である。通信管理システム５０の一例としてのサーバコンピュータは、ＣＰＵ５０１、ＲＯＭ５０２、ＲＡＭ５０３、ＨＤ５０４、ＨＤＤ(Hard Disk Drive)５０５、記録メディア５０６、メディアＩ／Ｆ５０７、ディスプレイ５０８、ネットワークＩ／Ｆ５０９、キーボード５１１、マウス５１２、ＣＤ−ＲＯＭドライブ５１４、及び、バスライン５１０を備えている。
【００２３】
これらのうち、ＣＰＵ５０１は、通信管理システム５０全体の動作を制御する。ＲＯＭ５０２は、ＩＰＬ等のＣＰＵ５０１の駆動に用いられるプログラムを記憶する。ＲＡＭ５０３は、ＣＰＵ５０１のワークエリアとして使用される。ＨＤ５０４は、通信管理用プログラム等の各種データを記憶する。ＨＤＤ(Hard Disk Drive)５０５は、ＣＰＵ５０１の制御にしたがってＨＤ５０４に対する各種データの読み出し又は書き込みを制御する。メディアＩ／Ｆ５０７は、フラッシュメモリ等の記録メディア５０６に対するデータの読み出し又は書き込み（記憶）を制御する。ディスプレイ５０８は、カーソル、メニュー、ウィンドウ、文字、又は画像などの各種情報を表示する。ネットワークＩ／Ｆ５０９は、インターネット等の通信ネットワーク２を利用してデータ通信をするためのインターフェースである。キーボード５１１は、文字、数値、各種指示などの入力のための複数のキーを備えた入力手段の一種である。マウス５１２は、各種指示の選択や実行、処理対象の選択、カーソルの移動などを行う入力手段の一種である。ＣＤ−ＲＯＭドライブ５１４は、着脱可能な記録媒体の一例としてのＣＤ−ＲＯＭ(Compact Disc Read Only Memory)５１３に対する各種データの読み出し又は書き込みを制御する。
【００２４】
また、バスライン５１０は、図３に示されているＣＰＵ５０１等の各構成要素を電気的に接続するためのアドレスバスやデータバス等である。
【００２５】
また、図１に示されている中継装置３０のハードウェア構成は、通信管理システム５０のハードウェア構成と同様であるため、その説明を省略する。但し、中継装置３０の場合は、ＨＤ５０４に中継用プログラムが記憶されている。
【００２６】
＜電子黒板のハードウェア構成図＞
図４は、本実施形態に係る電子黒板のハードウェア構成図である。図４に示されているように、通信端末７０の一例としての電子黒板は、ＣＰＵ７０１、ＲＯＭ７０２、ＲＡＭ７０３、ＳＳＤ７０４、ネットワークコントローラ７０５、及び、外部記憶コントローラＩ／Ｆ７０６を備えている。
【００２７】
これらのうち、ＣＰＵ７０１は、電子黒板全体の動作を制御する。ＲＯＭ７０２は、ＣＰＵ７０１やＩＰＬ等のＣＰＵ７０１の駆動に用いられるプログラムを記憶する。ＲＡＭ７０３は、ＣＰＵ７０１のワークエリアとして使用される。ＳＳＤ７０４は、電子黒板用のプログラム等の各種データを記憶する。ネットワークコントローラ７０５は、通信ネットワーク２との通信を制御する。外部記憶コントローラ７０６は、ＵＳＢメモリ７５５、外付け機器（カメラ７６２、スピーカ７６５、マイク７６４）との通信を制御する。
【００２８】
また、電子黒板は、キャプチャデバイス７１１、ＧＰＵ７１２、ディスプレイコントローラ７１３、接触センサ７１４、センサコントローラ７１５、電子ペンコントローラ７１６、近距離通信回路７１９、及び近距離通信回路７１９のアンテナ７１９ａを備えている。
【００２９】
これらのうち、キャプチャデバイス７１１は、ノートＰＣ７５６のディスプレイに対して映像情報を静止画または動画として表示させる。ＧＰＵ(Graphics Processing Unit)７１２は、グラフィクスを専門に扱う半導体チップである。ディスプレイコントローラ７１３は、ＧＰＵ７１２からの出力画像をディスプレイ７５３等へ出力するために画面表示の制御及び管理を行う。接触センサ７１４は、ディスプレイ７５３上に電子ペン７５４やユーザの手Ｈ等が接触したことを検知する。センサコントローラ７１５は、接触センサ７１４の処理を制御する。接触センサ７１５は、赤外線遮断方式による座標の入力及び座標の検出を行う。この座標の入力及び座標の検出する方法は、ディスプレイ７５３の上側両端部に設置された２つ受発光装置（不図示）が、ディスプレイ７５３に平行して複数の赤外線を放射し、ディスプレイ７５３の周囲に設けられた反射部材によって反射されて、受光素子が放射した光の光路と同一の光路上を戻って来る光を受光する方法である。接触センサ７１４は、物体によって遮断された２つの受発光装置が放射した赤外線のＩＤ(Identification)をセンサコントローラ７１５に出力し、センサコントローラ７１５が、物体の接触位置である座標位置を識別する。電子ペンコントローラ７１６は、電子ペン７５４と通信することで、ディスプレイ７５３へのペン先のタッチやペン尻のタッチの有無を判断する。近距離通信回路７１９は、ＮＦＣ（登録商標）、Ｂｌｕｅｔｏｏｔｈ（登録商標）等の通信回路である。
【００３０】
また、バスライン７１０は、図４に示されているＣＰＵ７０１等の各構成要素を電気的に接続するためのアドレスバスやデータバス等である。
【００３１】
なお、接触センサ７１５は、赤外線遮断方式に限らず、静電容量の変化を検知することにより接触位置を識別する静電容量方式のタッチパネル、対向する２つの抵抗膜の電圧変化によって接触位置を識別する抵抗膜方式のタッチパネル、接触物体が表示部に接触することによって生じる電磁誘導を検知して接触位置を識別する電磁誘導方式のタッチパネルなどの種々の検出手段を用いてもよい。また、電子ペンコントローラ７１６が、電子ペン７５４のペン先及びペン尻だけでなく、電子ペン７５４のユーザが握る部分や、その他の電子ペンの部分のタッチの有無を判断するようにしてもよい。
【００３２】
＜スマートフォンのハードウェア構成＞
図５は、本実施形態に係る移動体端末のハードウェア構成図である。移動体端末９０は、後述の図７に示されている移動体端末９０ａ，９０ｂのうち任意の移動体端末を示す。図５に示されているように、移動体端末９０の一例としてのスマートフォンは、ＣＰＵ９０１、ＲＯＭ９０２、ＲＡＭ９０３、ＥＥＰＲＯＭ９０４、ＣＭＯＳセンサ９０５、加速度・方位センサ９０６、メディアＩ／Ｆ９０８、ＧＰＳ受信部９０９を備えている。
【００３３】
これらのうち、ＣＰＵ９０１は、移動体端末９０全体の動作を制御する。ＲＯＭ９０２は、ＣＰＵ９０１やＩＰＬ等のＣＰＵ９０１の駆動に用いられるプログラムを記憶する。ＲＡＭ９０３は、ＣＰＵ９０１のワークエリアとして使用される。ＥＥＰＲＯＭ（Electrically Erasable and Programmable ROM）９０４は、ＣＰＵ９０１の制御にしたがって、移動体端末用プログラム等の各種データの読み出し又は書き込みを行う。ＣＭＯＳ(Complementary Metal Oxide Semiconductor)センサ９０５は、ＣＰＵ９０１の制御に従って被写体を撮像し画像データを得る。加速度・方位センサ９０６は、地磁気を検知する電子磁気コンパスやジャイロコンパス、加速度センサ等の各種センサである。メディアＩ／Ｆ９０８は、フラッシュメモリ等の記録メディア９０７に対するデータの読み出し又は書き込み（記憶）を制御する。ＧＰＳ受信部９０９は、ＧＰＳ衛星からＧＰＳ信号を受信する。
【００３４】
また、移動体端末９０は、遠距離通信回路９１１、カメラ９１２、撮像素子Ｉ／Ｆ９１３、マイク９１４、スピーカ９１５、音入出力Ｉ／Ｆ９１６、ディスプレイ９１７、外部機器接続Ｉ／Ｆ９１８、近距離通信回路９１９、近距離通信回路のアンテナ９１９ａ、及びタッチパネル９２１を備えている。
【００３５】
これらのうち、遠距離通信回路９１１は、移動体通信網等の通信ネットワーク３を介して、他の機器と通信する回路である。カメラ９１２は、ＣＰＵ９０１の制御に従って被写体を撮像して画像データを得る内蔵型の撮像手段の一種である。撮像素子Ｉ／Ｆ９１３は、カメラ９１２の駆動を制御する回路である。マイク９１４は、音声を入力する内蔵型の集音手段の一種である。音入出力Ｉ／Ｆ９１６は、ＣＰＵ９０１の制御に従ってマイク９１４及びスピーカ９１５との間で音信号の入出力を処理する回路である。ディスプレイ９１７は、被写体の画像や各種アイコン等を表示する液晶や有機ＥＬなどの表示手段の一種である。外部機器接続Ｉ／Ｆ９１８は、各種の外部機器を接続するためのインターフェースである。近距離通信回路９１９は、ＮＦＣ（登録商標）、Ｂｌｕｅｔｏｏｔｈ（登録商標）等の通信回路である。タッチパネル９２１は、利用者がディスプレイ９１７を押下することで、スマートフォンを操作する入力手段の一種である。
【００３６】
また、バスライン９１０は、図５に示されているＣＰＵ９０１等の各構成要素を電気的に接続するためのアドレスバスやデータバス等である。
【００３７】
なお、移動体端末９０は、スマートフォンだけでなく、スマートウォッチ、携帯電話機、又は携帯ゲーム機等であってもよい。
【００３８】
また、上記各プログラムは、インストール可能な形式又は実行可能な形式のファイルで、コンピュータで読み取り可能な記録媒体に記録して流通させるようにしてもよい。録媒体の例として、ＣＤ−Ｒ(Compact Disc Recordable)、ＤＶＤ(Digital Versatile Disk)、ブルーレイディスク、ＳＤカード等が挙げられる。
【００３９】
＜通信端末のソフトウェア構成＞
図６（ａ）はビデオ会議端末のソフトウェア構成図である。図６（ａ）に示されているように、ＯＳ(Operating System)１０２０、通信アプリケーションＡ１、通信アプリケーションＡ２、及び通信アプリケーションＡ３は、ＲＡＭ１０３の作業領域１０２０上で動作する。なお、以降、アプリケーションは、「アプリ」と示す。
【００４０】
ＯＳ１０２０は、基本的な機能を提供し、ビデオ会議端末全体を管理する基本ソフトウェアである。通信アプリＡ１，Ａ２，Ａ３は、他の端末と通信を行うためのアプリであり、それぞれ通信プロトコルが異なる。通信プロトコルには、呼制御方式や映像の符号化方式等が含まれる。この呼制御方式としては、例えばSIP(Session Initiation Protocol)、H.323、SIPを拡張したプロトコル、インスタントメッセンジャーのプロトコル、SIPのMESSAGEメソッドを利用したプロトコル、インターネットリレーチャットのプロトコル(IRC(Internet Relay Chat))、インスタントメッセンジャーのプロトコルを拡張したプロトコル等が挙げられる。 このうち、インスタントメッセンジャーのプロトコルは、例えば、(4-1)XMPP(Extensible Messaging and Presence Protocol)、又は(4-2)ICQ（登録商標）、AIM（登録商標）、若しくはSkype（登録商標）などで利用されるプロトコルである。 また、インスタントメッセンジャーのプロトコルを拡張したプロトコルは、例えば、Jingleである。また、映像の符号化方式は、例えばH.264/SVC、H.264/AVC、H.265/HEVC等が挙げられる。
【００４１】
また、図６（ｂ）は電子黒板のソフトウェア構成図である。図６（ｂ）に示されているように、ＯＳ７０２０、通信アプリＡ１、通信アプリＡ２、及び通信アプリ３は、ＲＡＭ７０３の作業領域７０１０上で動作する。
【００４２】
ＯＳ７０２０は、基本的な機能を提供し、電子黒板全体を管理する基本ソフトウェアである。通信アプリＡ１，Ａ２，Ａ３は、それぞれ、ビデオ会議端末の通信アプリＡ１，Ａ２，Ａ３と同じである。なお、説明の便宜上、３種類の通信アプリについて説明したが、１種類、２種類、又は４種類以上であってもよい。
【００４３】
また、ＯＳ１０２０，７０２０、及び、通信アプリＡ１，Ａ２，Ａ３は、工場出荷前から、それぞれビデオ会議端末及び電子黒板にインストールされている。
【００４４】
但し、工場出荷後にビデオ会議端末のソフトウェアが更新された際にアプリが追加や削除されてもよい。具体的には、ビデオ会議端末が利用者に提供された後でも、通信管理システム５０へビデオ会議端末からアクセスすることで、ビデオ会議端末は新しいソフトウェアをダウンロードすることができる。さらに、ビデオ会議端末はダウンロードした新しいソフトウェアによって、自端末のソフトウェアをアップデートすることができる。このようにビデオ会議端末のソフトウェアがアップデートされた場合には、ビデオ会議端末のソフトウェア自体が更新されるため、インストールされている通信アプリも変更可能である。このアップデートに関しては、電子黒板も同じである。なお、ビデオ会議端末又は電子黒板に、端末識別情報に対応する通信アプリがインストールされていない場合には、ビデオ会議端末又は電子黒板は、利用できる通信アプリがインストールされていない旨のメッセージを表示させたり、又は、利用できる通信アプリのインストールを促す旨のメッセージを表示させたりしてもよい。
【００４５】
＜＜通信システムの全体構成＞＞
続いて、図７を用いて、通信システムの全体構成について説明する。図７は、本発明の実施形態に係る通信システムの全体構成図である。
【００４６】
図７において、通信端末１０、中継装置３０、通信管理システム５０、通信端末７０、は、インターネットを含む通信ネットワーク２に接続されている。通信ネットワーク２には、無線通信部分が含まれてもよい。通信端末１０は拠点Ａ、通信端末７０は拠点Ｄに設置されている。例えば、拠点Ａは日本で、拠点Ｄはイギリスである。図７では、拠点Ｄの利用者Ｘが移動体端末９０ａを持って拠点Ａに移動し、拠点Ａで通信端末１０から拠点Ａの通信端末７０に通信の開始を行うことで、拠点Ｄの利用者Ｙとテレビ会議する状況を示している。移動体端末９０ｄは、基地局３ｄ、移動体通信網等の通信ネットワーク３、及び基地局３ａを介して、移動体端末９０ａと通信することができる。なお、図７では、通信端末１０が第１の通信端末で、通信端末７０が第２の通信端末である。
【００４７】
＜＜実施形態の機能構成＞＞
次に、図２乃至図５、及び図８を用いて、本実施形態の機能構成について説明する。図８は、本実施形態に係る通信システムの各機能ブロック図である。
【００４８】
＜通信端末１０の機能構成＞
通信端末１０は、送受信部１１、受付部１２、通信制御部１３、表示制御部１４、判断部１５、選択部１６、起動部１７、取得・提供部１８、及び記憶・読出処理部１９を有している。これら各部は、図２に示されている各構成要素のいずれかが、フラッシュメモリ１０４からＲＡＭ１０３上に展開された通信用プログラムに従ったＣＰＵ１０１からの命令によって動作することで実現される機能、又は機能する手段である。また、通信端末１０は、図２に示されているＲＡＭ１０３、及び図２に示されているフラッシュメモリ１０４によって構築される記憶部１０００を有している。
【００４９】
（通信端末１０の各機能構成）
次に、通信端末１０の各構成要素について説明する。送受信部１１は、図２に示されているＣＰＵ１０１からの命令、並びにネットワークＩ／Ｆ１１１及び外部機器接続Ｉ／Ｆ１１８によって実現され、通信ネットワーク２を介して他の端末、装置又はシステムと各種データ（または情報）の送受信を行う。この送受信部１１は、他の通信端末１０，７０と通信を開始する前から、通信管理システム５０より、宛先候補としての各通信端末１０，７０の状態を示す各状態情報の受信を開始する。なお、この状態情報は、各通信端末１０，７０の稼動状態（ＯＮラインかＯＦＦラインかの状態）だけでなく、ＯＮラインであっても更に通信可能であるか、通信中であるか、離席中であるか等の詳細な状態を示す。以下では、一例として、状態情報が稼動状態を示す場合について説明する。
【００５０】
更に、送受信部１１は、開始部としての役割も果たし、通信端末７０等の他の通信端末と通信を開始する処理を行なう。
【００５１】
受付部１２は、主に、図２に示されているＣＰＵ１０１からの命令、並びに操作ボタン１０８及電源スイッチ１０９によって実現され、利用者による各種入力を受け付ける。
【００５２】
通信制御部１３は、図２に示されているＣＰＵ１０１からの命令、並びにカメラ１１２及び撮像素子Ｉ／Ｆ１１３によって実現され、被写体を撮像して、この撮像して得た画像データを出力する。また、通信制御部１３は、ＣＰＵ１０１からの命令、及び図２に示されている音声入出力Ｉ／Ｆ１１６によって実現され、マイク１１４によって利用者の音声が音声信号に変換された後、この音声信号に係る音データを入力する。更に、通信制御部１３は、図２に示されているＣＰＵ１０１からの命令、及び図２に示されている音声入出力Ｉ／Ｆ１１６によって実現され、音データに係る音声信号をスピーカに出力し、スピーカ１１５から音声を出力させる。
【００５３】
表示制御部１４は、図２に示されているＣＰＵ１０１からの命令、及び図２に示されているディスプレイＩ／Ｆ１１７によって実現され、受信された解像度の異なる画像データを組み合わせ、この組み合わされた画像データをディスプレイ１２０に送信するための制御を行う。表示制御部１４は、通信管理システム５０から受信した宛先リストの情報をディスプレイ１２０に送信して、ディスプレイ１２０に宛先リストを表示させることができる。
【００５４】
判断部１５は、図２に示されているＣＰＵ１０１からの命令によって実現され、後述の近接したか否かの判断等を行う。
【００５５】
選択部１６は、図６（ａ）に示されている起動アプリ１０３０によるＣＰＵ１０１からの命令によって実現され、端末識別情報に基づいて、起動させる通信アプリを選択する。
【００５６】
例えば、端末識別情報が端末ＩＤの場合は、通信アプリＡ１が選択される。端末ＩＤの場合は、選択部１６は、単なる文字や記号の羅列になっている記述形式になっているか否かの判断により選択する。
【００５７】
また、端末識別情報が通信端末にアクセスするためのＩＰアドレスの場合は、通信アプリＡ２が選択される。ＩＰアドレスの場合（ここではＩＰｖ４の場合）、選択部１６は、８ビットずつ４つに区切られた３２ビット数値を表わす記述形式になっているか否かの判断により選択する。
【００５８】
更に、端末識別情報が各通信端末を送信先とする電子メールアドレスの場合は、通信アプリＡ３が選択される。
電子メールアドレスの場合は、ＲＦＣ２８２２で定義されている文字列であり、選択部１６は、「＠」を挟んで左側にドメイン名、右側にメールサーバを表わす記述形式になっているか否かの判断により選択する。
【００５９】
なお、端末識別情報には、端末ＩＤ、ＩＰアドレス、及び電子メールアドレスが含まれるだけでなく、各通信端末の利用者を識別するための利用者ＩＤ、各通信端末の利用者の名称である利用者名も含まれる。
【００６０】
起動部１７は、図６（ａ）に示されている起動アプリ１０３０によるＣＰＵ１０１からの命令によって実現され、選択部１６によって選択された通信アプリを起動させる。
【００６１】
取得・提供部１８は、図２に示されているＣＰＵ１０１からの命令、及び近距離通信回路１１９及びアンテナ１１９ａによって実行され、移動体端末９０との間で、近距離無線通信により、データの取得及び提供を行なう。
【００６２】
記憶・読出処理部１９は、図２に示されているＣＰＵ１０１からの命令及びＳＳＤ１０５によって実行され、記憶部１０００又は記録媒体１１００に各種データを記憶したり、記憶部１０００又は記録媒体１１００に記憶された各種データを読み出したりする処理を行う。更に、記憶部１０００には、他の通信端末との通信を行う際に受信される画像データ及び音データが、受信される度に上書き記憶される。このうち、上書きされる前の画像データによってディスプレイ１２０に画像が表示され、上書きされる前の音データによってスピーカ１１５から音声が出力される。記録媒体１１００は、図２に示されている記録メディア１０６によって実現される。
【００６３】
なお、本実施形態の端末識別情報は、通信端末１０，７０を一意に識別するために使われる言語、文字、記号、又は各種のしるし等の識別情報の一例を示す。また、端末識別情報は、上記言語、文字、記号、及び各種のしるしのうち、少なくとも２つが組み合わされた識別情報であってもよい。また、端末ＩＤに代えて、端末１０の利用者を識別するための利用者ＩＤを利用してもよい。この場合、端末識別情報には、端末ＩＤだけでなく、端末の製造番号や、利用者を識別するための利用者ＩＤも含まれる。また、利用者ＩＤには、利用者の氏名、日本の国民総背番号制に基づくマイナンバー等も含まれる。
【００６４】
＜中継装置の機能構成＞
中継装置３０は、転送部を兼ねた送受信部３１、判断部３２、及び記憶・読出処理部３９を有している。これら各部は、図３に示されている各構成要素のいずれかが、ＨＤ５０４からＲＡＭ５０３上に展開された中継用プログラムに従ったＣＰＵ５０１からの命令によって動作することで実現される機能又は機能する手段である。また、中継装置３０は、図３に示されているＲＡＭ５０３、ＨＤ５０４によって構築される記憶部３０００を有している。
【００６５】
（中継装置の各機能構成）
次に、中継装置３０の各機能構成について詳細に説明する。なお、以下では、中継装置３０の各機能構成を説明するにあたって、図３に示されている各構成要素のうち、中継装置３０の各機能構成を実現させるための主な構成要素との関係も説明する。
【００６６】
図８に示されている中継装置３０の送受信部３１は、図３に示されているＣＰＵ５０１からの命令、及び図３に示されているネットワークＩ／Ｆ５０９によって実現され、通信ネットワーク２を介して他の端末、装置、又はシステムと各種データ（または情報）の送受信を行う。また、送受信部３１は、転送部としての役割も果たし、通信端末１０（７０）から送信されて来た画像データ及び音データを、通信端末７０（１０）に転送する。
【００６７】
判断部３２は、図３に示されているＣＰＵ５０１からの命令によって実現され、データの遅延状態の判断等を行なう。
【００６８】
記憶・読出処理部３９は、図３に示されているＣＰＵ５０１からの命令、及び図３に示されているＨＤＤ５０５によって実現され、記憶部３０００に各種データを記憶したり、記憶部３０００に記憶された各種データを読み出したりする処理を行う。
【００６９】
＜通信管理システムの機能構成＞
通信管理システム５０は、送受信部５１、判断部５２、及び記憶・読出処理部５９を有している。これら各部は、図８に示されている各構成要素のいずれかが、ＨＤ５０４からＲＡＭ５０３上に展開された通信管理用プログラムに従ったＣＰＵ５０１からの命令によって動作することで実現される機能又は機能する手段である。また、通信管理システム５０は、図３に示されているＨＤ５０４により構築される記憶部５０００を有している。
【００７０】
（認証管理テーブル）
図９は、認証管理テーブルを示す概念図である。記憶部５０００には、図９に示されているような認証管理テーブルによって構成されている認証管理ＤＢ５００１が構築されている。この認証管理テーブルでは、通信管理システム５０によって管理される全ての通信端末１０，７０の各端末ＩＤに対して、各パスワードが関連付けられて管理される。例えば、図９示されている認証管理テーブルにおいて、通信端末１０の一種である通信端末１０ａａの端末ＩＤは「０１ａａ」で、パスワードは「ａａａａ」であることが示されている。
【００７１】
（端末管理テーブル）
図１０は、端末管理テーブルを示す概念図である。記憶部５０００には、図１０に示されているような端末管理テーブルによって構成されている端末管理ＤＢ５００２が構築されている。この端末管理テーブルでは、各通信端末１０，７０の端末ＩＤ毎に、各通信端末１０，７０を宛先とした場合の宛先名、各通信端末１０，７０の稼動状態、後述のログイン要求情報が通信管理システム５０で受信された受信日時、及び通信端末１０，７０ＩＰアドレスが関連付けられて管理される。例えば、図１０に示されている端末管理テーブルにおいて、端末ＩＤが「０１ａａ」の端末１０ａａは、宛先名が「日本  東京事業所  ＡＡ端末」で、稼動状態が「ＯＮライン（通信可能）」で、通信管理システム５０でログイン要求情報が受信された日時が「２０１５年４月１０日の１３時４０分」で、この端末１０ａａのＩＰアドレスが「１．２．１．３」であることが示されている。なお、端末ＩＤ、宛先名、及び端末のＩＰアドレスは、各通信端末１０，７０が、通信管理システム５０によるサービスの提供を受けるために事前登録する際に記憶される。
【００７２】
（宛先リスト管理テーブル）
図１１は、宛先リスト管理テーブルを示す概念図である。記憶部５０００には、図１１に示されているような宛先リスト管理テーブルによって構成されている宛先リスト管理ＤＢ５００３が構築されている。この宛先リスト管理テーブルでは、通信の開始を要求する要求元端末の端末ＩＤに対して、宛先端末の候補として登録されている宛先端末の端末ＩＤが全て関連付けられて管理される。例えば、図１１に示されている宛先リスト管理テーブルにおいて、端末ＩＤが「０１ａａ」である要求元端末（端末１０ａａ）から通信の開始を要求することができる宛先端末（端末１０ｄｂ）の候補は、端末ＩＤが「０１ａｂ」の端末１０ａｂ、端末ＩＤが「０１ｂａ」の端末１０ｂａ、及び端末ＩＤが「０１ｂｂ」の端末１０ｂｂ等であることが示されている。この宛先端末の候補は、任意の要求元端末から管理システム５０に対する追加又は削除の要請により、追加又は削除されることで更新される。
【００７３】
なお、宛先リストは、宛先情報の一例であり、宛先情報には、リスト形式になっておらず、端末ＩＤ等の宛先に関する情報が羅列されていてもよい。
【００７４】
（追加要求管理テーブル）
図１２は、追加要求管理テーブルを示す概念図である。記憶部５０００には、図１２に示されているような追加要求管理テーブルによって構成されている追加要求管理ＤＢ５００４が構築されている。この追加要求管理テーブルでは、宛先候補の追加要求した要求元の通話端末（以下、「要求元端末」と表わす）の端末ＩＤ、及び宛先候補の追加要求された要求先の通話端末（以下、「要求先端末」と表す）の端末ＩＤを関連付けて管理する。これにより、どの通信端末からどの通信端末を宛先候補として要求しているかを管理することができる。
【００７５】
（通信管理システムの各機能構成）
次に、通信管理システム５０の各機能構成について詳細に説明する。なお、以下では、通信管理システム５０の各機能構成を説明するにあたって、図３に示されている各構成要素のうち、通信管理システム５０の各機能構成を実現させるための主な構成要素との関係も説明する。
【００７６】
図８に示されている通信管理システム５０の送受信部３１は、図３に示されているＣＰＵ５０１からの命令、及び図８に示されているネットワークＩ／Ｆ５０９によって実現され、通信ネットワーク２を介して他の端末、装置、又はシステムと各種データ（または情報）の送受信を行う。
【００７７】
判断部５２は、図３に示されているＣＰＵ５０１からの命令によって実現され、各種判断を行なう。
【００７８】
記憶・読出処理部５９は、図３に示されているＣＰＵ５０１からの命令、及び図３に示されているＨＤＤ５０５によって実現され、記憶部５０００に各種データを記憶したり、記憶部５０００に記憶された各種データを読み出したりする処理を行う。
【００７９】
＜通信端末７０の機能構成＞
通信端末７０は、送受信部７１、受付部７２、通信制御部７３、表示制御部７４、判断部７５、選択部７６、起動部７７、取得・提供部７８、及び記憶・読出処理部７９を有している。これら各部は、図４に示されている各構成要素のいずれかが、ＳＳＤ７０４からＲＡＭ７０３上に展開された通信用プログラムに従ったＣＰＵ７０１からの命令によって動作することで実現される機能、又は機能する手段である。また、通信端末７０は、図４に示されているＲＡＭ７０３、及び図４に示されているＳＳＤ７０４によって構築される記憶部７０００を有している。
【００８０】
（通信端末７０の各機能構成）
次に、通信端末７０の各構成要素について説明する。送受信部７１は、図４に示されているＣＰＵ７０１からの命令、並びにネットワークＩ／Ｆ７０５及び外部機器接続Ｉ／Ｆ７０６によって実現され、通信ネットワーク２を介して他の端末、装置又はシステムと各種データ（または情報）の送受信を行う。この送受信部７１は、他の通信端末１０，７０と通信を開始する前から、通信管理システム５０より、宛先候補としての各通信端末１０，７０の状態を示す各状態情報の受信を開始する。なお、この状態情報は、各通信端末１０，７０の稼動状態（ＯＮラインかＯＦＦラインかの状態）だけでなく、ＯＮラインであっても更に通信可能であるか、通信中であるか、離席中であるか等の詳細な状態を示す。また、この状態情報は、各通信端末１０，７０の稼動状態だけでなく、通信端末１０でケーブル１２０ｃが通信端末１０から外れていたり、音を出力するが画像は出力させなかったり、音を出力さないようにする（ＭＵＴＥ）等、様々な状態を示す。以下では、一例として、状態情報が稼動状態を示す場合について説明する。
【００８１】
更に、送受信部７１は、開始部としての役割も果たし、通信端末１０等の他の通信端末と通信を開始する処理を行なう。
受付部７２は、主に、図４に示されているＣＰＵ７０１からの命令、並びに接触センサ７１５及び電子ペンコントローラ７１６によって実現され、利用者による各種入力を受け付ける。
【００８２】
通信制御部７３は、図４に示されているＣＰＵ７０１からの命令によって実現され、カメラ７６２が被写体を撮像して得た画像データに対して画像処理を行なう。また、通信制御部７３は、ＣＰＵ７０１からの命令によって実現され、マイク７６４によって利用者の音声が音声信号に変換された後、この音声信号に係る音データに対して音声処理を行なう。更に、通信制御部７３は、図４に示されているＣＰＵ７０１からの命令によって実現され、音データに係る音声信号をスピーカ７６５に出力し、スピーカ７６５から音声を出力させる。
【００８３】
また、通信制御部７３は、利用者によって電子ペン７５４や手Ｈでディスプレイ７５３上に描画された描画データを座標データに変換する処理を行なう。通信端末７０が、他の通信端末７０に座標データを送信すると、他の電子黒板は、座標データに基づいて他の電子黒板側のディスプレイ７５３上に同じ内容の描画を表示する。
【００８４】
表示制御部７４は、図４に示されているＣＰＵ７０１からの命令、及び図４に示されているディスプレイコントローラ７１３によって実現され、受信された解像度の異なる画像データを組み合わせ、この組み合わされた画像データをディスプレイ７５３に送信するための制御を行う。表示制御部７４は、通信管理システム５０から受信した宛先リストの情報をディスプレイ７５３に送信して、ディスプレイ７５３に宛先リストを表示させることができる。
【００８５】
判断部７５は、図４に示されているＣＰＵ７０１からの命令によって実現され、後述の近接したか否かの判断等を行う。
【００８６】
選択部７６は、図６（ｂ）に示されている起動アプリ７０３０によるＣＰＵ７０１からの命令によって実現され、端末識別情報に基づいて、起動させる通信アプリを選択する。なお、選択部７６が選択する際の記述形式の判断は、上述の選択部１６の処理と同じである。
【００８７】
起動部７７は、図６（ｂ）に示されている起動アプリ７０３０によるＣＰＵ７０１からの命令によって実現され、選択部７６によって選択された通信アプリを起動させる。
【００８８】
取得・提供部７８は、図４に示されているＣＰＵ７０１からの命令、及び近距離通信回路７１９及びアンテナ７１９ａによって実行され、移動体端末９０との間で、近距離無線通信により、データの取得及び提供を行なう。
【００８９】
取得・提供部７８は、図２に示されているＣＰＵ７０１からの命令、及び近距離通信回路７１９及びアンテナ７１９ａによって実行され、移動体端末９０との間で、近距離無線通信により、データの取得及び提供を行なう。
【００９０】
記憶・読出処理部７９は、図４に示されているＣＰＵ７０１からの命令及びＳＳＤ７０４によって実行され、記憶部７０００又は記録媒体７１００に各種データを記憶したり、記憶部７０００又は記録媒体７１００に記憶された各種データを読み出したりする処理を行う。更に、記憶部７０００には、他の通信端末との通信を行う際に受信される画像データ及び音データが、受信される度に上書き記憶される。このうち、上書きされる前の画像データによってディスプレイ７５３に画像が表示され、上書きされる前の音データによってスピーカ７６５から音声が出力される。記録媒体７１００は、図４に示されているＵＳＢメモリ７５５によって実現される。
【００９１】
＜移動体端末の機能構成＞
移動体端末９０ａ，９０ｄは基本的に同じ機能構成を有するため、移動体端末９０ｄの機構構成を説明し、移動体端末９０ａの機能構成の説明を省略する。なお、移動体端末９０ｄの機能構成を示す符号と、移動体端末９０ａの機能構成を示す符号において、「ｄ」と「ａ」以外が同じ場合には、同じ機能を有する。
【００９２】
移動体端末９０ｄは、送受信部９１ｄ、受付部９２ｄ、通信制御部９３ｄ、表示制御部９４ｄ、判断部９５ｄ、取得・提供部９８ｄ、及び記憶・読出処理部９９ｄを有している。これら各部は、図５に示されている各構成要素のいずれかが、ＥＥＰＲＯＭ９０４からＲＡＭ９０３上に展開された通信用プログラムに従ったＣＰＵ９０１からの命令によって動作することで実現される機能、又は機能する手段である。また、移動体端末９０は、図５に示されているＲＡＭ９０３、及び図５に示されているＥＥＰＲＯＭ９０４によって構築される記憶部９０００ｄを有している。
【００９３】
（移動体端末の各機能構成）
次に、移動体端末９０ｄの各構成要素について説明する。送受信部９１ｄは、図５に示されているＣＰＵ９０１からの命令、並びに遠距離通信回路９１１及びアンテナ９１１ａによって実現され、通信ネットワーク３を介して他の端末、装置又はシステムと各種データ（通話データ等）の送受信を行う。
【００９４】
受付部９２ｄは、主に、図５に示されているＣＰＵ９０１からの命令、並びにタッチパネル９２１によって実現され、利用者による各種入力を受け付ける。
【００９５】
通信制御部９３ｄは、図５に示されているＣＰＵ９０１からの命令、及び撮像素子Ｉ／Ｆ９１３によって実現され、カメラ９１２が被写体を撮像して得た画像データに対して画像処理を行なう。また、通信制御部９３ｄは、ＣＰＵ９０１からの命令、及び音入出力Ｉ／Ｆ９１６によって実現され、マイク９１４によって利用者の音声が音声信号に変換された後、この音声信号に係る音データに対して音声処理を行なう。更に、通信制御部９３ｄは、図５に示されているＣＰＵ９０１からの命令、及び音入出力Ｉ／Ｆ９１６によって実現され、音データに係る音声信号をスピーカ９１５に出力し、スピーカ９１５から音声を出力させる。
【００９６】
表示制御部９４ｄは、図５に示されているＣＰＵ９０１からの命令によって実現され、ディスプレイ９１７上に、画像データを表示させるための制御を行う。
【００９７】
判断部９５ｄは、図５に示されているＣＰＵ９０１からの命令によって実現され、後述の応答内容の判断等を行う。
【００９８】
取得・提供部９８ｄは、図５に示されているＣＰＵ９０１からの命令、及び近距離通信回路９１９及びアンテナ９１９ａによって実行され、通信端末１０，７０との間で、近距離無線通信により、データの取得及び提供を行なう。
【００９９】
記憶・読出処理部９９ｄは、図５に示されているＣＰＵ９０１からの命令及びＥＥＰＲＯＭ９０４によって実行され、記憶部９０００ｄに各種データを記憶したり、記憶部９０００ｄに記憶された各種データを読み出したりする処理を行う。また、記憶・読出処理部９９ｄは、記録媒体９１００ｄに各種データを記憶したり、記録媒体９１００ｄに記憶された各種データを読み出したりする処理を行う。
【０１００】
（近距離通信回路内のデータ構造）
図１３は、近距離通信回路内のデータ構造を示す概念図である。近距離通信回路９１９内には、図１３に示されているようなデータ構造が構築されている。このデータ構造では、ブロックＮＯ毎に、データが管理される。ブロックＮＯ１には近距離通信回路９１９の固有番号、ブロック２には近距離通信回路９１９が含まれている移動体端末９０の利用者名が管理されている。
【０１０１】
また、ブロックＮＯ３〜ＮＯ５には、移動体端末９０が通信端末１０，７０から近距離無線通信によって取得した、通信端末１０，７０の端末識別情報である（取得）端末識別情報が管理される。（取得）端末識別情報(1)，(2)，(3)は、それぞれ、端末ＩＤ、ＩＰアドレス、電子メールアドレスを示している。ブロックＮＯ６〜ＮＯ８には、移動体端末９０が、通信ネットワーク３を介して他の移動体端末９０から送られて来た通信端末１０，７０の端末識別情報を受信した端末識別情報である（受信）端末識別情報(1)，(2)，(3)が管理されている。
【０１０２】
＜＜実施形態の処理または動作＞＞
次に、図１４至図２２を用いて、本実施形態に係る通信システム１における処理または動作を説明する。まずは、本実施形態における状況を簡単に説明する。拠点Ｄの利用者Ｘ（Ｋａｔｏ）が拠点Ａに出張する場合、出張前に利用者Ｘは自己の移動体端末９０ａを通信端末７０にかざすことで、通信端末７０の端末ＩＤを取得する。利用者Ｘが拠点Ａに到着した後、移動体端末９０ａを拠点Ａの通信端末１０にかざすことで、通信端末１０は通信端末７０の端末ＩＤを取得する。この状態で、利用者Ｘは、拠点Ｄに残っている利用者Ｙ（Ｊａｍｅｓ）とビデオ会議を行うにあたって、利用者Ｙに対して電話を掛け、通信端末１０と通信端末７０によるビデオ会議を行なう旨を伝える。これにより、通信端末１０は、端末ＩＤを利用し、通信ネットワーク２を介して通信端末７０とビデオ会議を開始する。以下、より具体的に説明する。
【０１０３】
まず、図１４を用いて、移動体端末９０ｄが通信端末７０の一種である通信端末７０ｄｂから、通信端末７０ｄｂを識別するための端末識別情報を取得する場合について説明する。なお、図１４は、端末識別情報の提供処理を示したシーケンス図である。図１５は、端末識別情報を提供する際の提供画面を示した図である。ここでは、端末識別情報の一種として、端末ＩＤを取得する場合について説明する。
【０１０４】
拠点Ｄの利用者Ｘは、電子ペン７５４又は手Ｈを使って通信端末７０ｄｂを操作することで、通信端末７０ｄｂの受付部７２は、端末識別情報提供画面の表示を受け付ける（ステップＳ２１）。そして、表示制御部７４は、ディスプレイ７５３に対して、図１５に示されているような提供画面を表示させる（ステップＳ２２）。
【０１０５】
次に、判断部７５は、移動体端末９０ａの近接の有無を判断する（ステップＳ２３）。以降、利用者Ｘが移動体端末９０ａを通信端末７０ｄｂに近接した場合について説明する。
【０１０６】
通信端末７０ｄｂの記憶・読出処理部７９は、記憶部７０００から通信端末７０ｄｂの端末ＩＤを読み出す（ステップＳ２４）。
【０１０７】
次に、取得・提供部７８は、近距離無線通信により、移動体端末９０ａに記憶要求を示す記憶要求情報を送信する（ステップＳ２５）。この記憶要求情報には、上記ステップＳ２４によって読み出された端末ＩＤ、及び移動体端末９０ａでの記憶場所を示す記憶場所情報が含まれている。これに対して、移動体端末９０ａの取得・提供部９８ａは、記憶要求情報を受信する。これにより、取得・提供部９８ａは、端末ＩＤ及び記憶場所情報を取得する。そして、記憶・読出処理部９９ａは、記憶場所情報に基づいて、記憶部９０００ａに端末ＩＤを記憶する（ステップＳ２７）。ここでは、図１３に示されているブロックＮＯ３に端末ＩＤが記憶される。
【０１０８】
その後、図７に示されているように、拠点Ｄの利用者Ｘは、拠点Ａに移動する。そして、利用者Ｘは、拠点Ｄの利用者Ｙとビデオ会議のための通信の準備を行なう。
【０１０９】
続いて、図１６及び図１７を用いて、通信端末１０ａａ，７０ｄｂ間で、ビデオ会議のための通信の準備をするための処理を説明する。図１６は、通信の準備処理を示したシーケンス図である。図１７は、宛先リストを示した画面例である。
【０１１０】
なお、ここでは、図７で示されている通信端末１０を通信端末１０ａａとして表わし、同じタイプの通信端末１０ａｂに対する通信についても説明する。また、図１６では、説明を簡単にするため、通信管理システム５０を介して、通信端末１０ａａと通信端末１０ａｂについてのみ示している。
【０１１１】
まず、利用者Ｘが図２に示されている操作ボタン１０８を操作して、起動アプリ１０３０の起動を要求すると、受付部１２が起動の要求を受け付けて、起動アプリ１０３０を起動させる（ステップＳ６１）。そして、送受信部１１は、通信ネットワーク２を介して通信管理システム５０に、ログイン要求を示すログイン要求情報を送信する（ステップＳ６２）。このログイン要求情報には、自端末である通信端末１０を識別するための端末ＩＤ、及びパスワードが含まれている。これら端末ＩＤ、及びパスワードは、記憶・読出処理部１９を介して記憶部１０００から読み出されて、送受信部１１に送られたデータである。
【０１１２】
次に、通信管理システム５０の記憶・読出処理部５９は、送受信部５１を介して受信したログイン要求情報に含まれている端末ＩＤ及びパスワードを検索キーとして、認証管理テーブル（図９参照）を検索し、同一の端末ＩＤ及び同一のパスワードが管理されているかを判断することによって端末認証を行う（ステップＳ６３）。この記憶・読出処理部５９によって、同一の端末ＩＤ及び同一のパスワードが管理されているため、正当な利用権限を有する起動アプリがインストールされた通信端末１０からのログイン要求であると判断された場合には、記憶・読出処理部５９は、端末管理テーブル（図１０参照）において、上記ステップＳ６２で受信された端末ＩＤのレコードの稼動状態のフィールド部分を「ＯＮライン（通信可能）」に変更すると共に、受信日時のフィールド部分に上記ステップＳ６３によってログイン要求情報が受信された受信日時を記憶する（ステップＳ６４）。これにより、端末管理テーブルには、端末ＩＤ「０１ａａ」に、稼動状態「オンライン（通信可能）」、受信日時「２０１５．４．１０．１３：４０」及びＩＰアドレス「１．２．１．３」が関連付けて管理されることになる。なお、端末のＩＰアドレスは、事前に登録されているのではなく、上記ステップＳ６２で通信端末１０ａａから送信されるようにしてもよい。
【０１１３】
そして、通信管理システム５０の送受信部５１は、記憶・読出処理部５９によって得られた認証結果が示された認証結果情報を、通信ネットワーク２を介して、上記ログイン要求してきた要求元端末（通信端末１０ａａ）に送信する（ステップＳ６５）。本実施形態では、記憶・読出処理部５９によって正当な利用権限を有する通信端末であると判断された場合につき、以下続けて説明する。
【０１１４】
要求元端末（通信端末１０ａａ）の送受信部１１が、正当な利用権限を有する通信端末であると判断された結果が示された認証結果情報を受信すると、送受信部１１が通信ネットワーク２を介して通信管理システム５０へ、宛先リストを要求する旨が示された宛先リスト要求情報を送信する（ステップＳ６６）。これにより、通信管理システム５０の送受信部５１は、宛先リスト要求情報を受信する。
【０１１５】
次に、記憶・読出処理部５９は、ログイン要求した要求元端末（通信端末１０ａａ）の端末ＩＤ「０１ａａ」を検索キーとして、宛先リスト管理テーブル（図１１参照）を検索し、要求元端末（端末１０ａａ）と通信することができる宛先候補の端末ＩＤを読み出すと共に、この端末ＩＤに対応する宛先名を端末管理テーブル（図１０参照）から読み出す（ステップＳ６７）。ここでは、要求元端末（通信端末１０ａａ）の端末ＩＤ「０１ａａ」に対応する宛先候補（１０ａｂ，・・・）のそれぞれの端末ＩＤ（「０１ａｂ」、・・・）と、これらに対応する宛先名（「日本  東京事業所  ＡＢ端末」、・・・）が抽出される。
【０１１６】
次に、通信管理システム５０の送受信部５１は、記憶・読出処理部５９を介して記憶部５０００から宛先リスト枠のデータ及び稼動状態を示すアイコンのデータを読み出す（ステップＳ６８）と共に、この宛先リスト枠及びアイコン並びに上記記憶・読出処理部５９によって読み出された端末ＩＤ及び宛先名を含めた「宛先リスト情報（宛先リスト枠、アイコン、端末ＩＤ、宛先名）」を、要求元端末（通信端末１０ａａ）に送信する（ステップＳ６９）。これにより、要求元端末（通信端末１０ａａ）では、送受信部１１が宛先リスト情報を受信し、記憶・読出処理部１９が記憶部１０００へ宛先リスト情報を記憶する（ステップＳ７０）。  
【０１１７】
このように、本実施形態では、各通信端末で宛先リスト情報を管理するのではなく、通信管理システム５０が全ての通信端末の宛先リスト情報を一元管理している。よって、通信システム１に新たな通信端末が含まれるようになったり、既に含まれている通信端末に替えて新機種の通信端末を含めるようになったり、宛先リスト枠の見栄え等を変更することになった場合でも、通信管理システム５０側で一括して対応するため、各通信端末側で宛先リスト情報の変更を行う手間を省くことができる。
【０１１８】
また、通信管理システム５０の記憶・読出処理部５９は、上述の読み出した宛先候補の端末ＩＤ（「０１ａｂ」、・・・）を検索キーとして、端末管理テーブル（図１０参照）を検索し、上記端末ＩＤ毎に、対応する稼動状態を読み出すことで、宛先候補としての通信端末（１０ａｂ，…）の各稼動状態を取得する（ステップＳ７１）。
【０１１９】
次に、送受信部５１は、上記ステップＳ６７で使用された検索キーとしての各端末ＩＤと、対応する各宛先端末の稼動状態とが含まれた「端末の稼動状態情報」を、通信ネットワーク２を介して要求元端末（通信端末１０ａａ）に送信する（ステップＳ７２）。
【０１２０】
次に、要求元端末（通信端末１０ａａ）の記憶・読出処理部１９は、順次、通信管理システム５０から受信した端末の状態情報を記憶部１０００に記憶する（ステップＳ７３）。よって、要求元端末（通信端末１０ａａ）は、上記各通信端末の状態情報を受信することで、要求元端末（通信端末１０ａａ）と通信することができる宛先候補である通信端末１０ａｂ等の現時点のそれぞれの稼動状態を取得することができる。
【０１２１】
次に、要求元端末（通信端末１０ａａ）の表示制御部１４は、記憶部１０００に記憶されている宛先リスト情報、及び端末の状態情報に基づいて、宛先候補としての通信端末の状態を反映させた宛先リストを作成すると共に、表示制御部１４が、図２に示されているディスプレイ１２０に対して、図１７に示されている宛先リストを表示する（ステップＳ７４）。なお、稼動状態を示すアイコンは、各宛先の左端に示されている。図１７では、各通信端末の稼動状態を示したアイコンが、上から「オンライン（通信可能）」、「オフライン」、「オンライン（通信可能）」、及び「オンライン（通信中）」であることを示している。
【０１２２】
一方、通信管理システム５０の記憶・読出処理部５９は、ログイン要求してきた要求元端末（通信端末１０ａａ）の端末ＩＤ「０１ａａ」に基づいて宛先リスト管理テーブル（図１１参照）を検索することにより、上記要求元端末（通信端末１０ａａ）の端末ＩＤ「０１ａａ」を宛先候補として登録している他の要求元端末の端末ＩＤを抽出する（ステップＳ７５）。図１１に示されている宛先リスト管理テーブルでは、読み出される他の開始要求元端末の端末ＩＤは、「０１ａｂ」、「０７ｄｂ」等である。
【０１２３】
次に、通信管理システム５０の記憶・読出処理部５９は、上記ログイン要求して来た要求元端末（通信端末１０ａａ）の端末ＩＤ「０１ａａ」に基づいて端末管理テーブル（図１０参照）を検索し、ログイン要求してきた要求元端末（通信端末１０ａａ）の稼動状態を取得する（ステップＳ７６）。
【０１２４】
そして、送受信部５１は、上記ステップＳ７５で抽出された端末ＩＤ（「０１ａｂ」、「０７ｄｂ」等）に係る通信端末（１０ａｂ，７０ｄｂ，…）のうち、端末管理テーブル（図１０参照）で稼動状態が「オンライン」となっている通信端末（１０ａｂ，…）に、上記ステップＳ７６で取得された要求元端末（通信端末１０ａａ）の端末ＩＤ「０１ａａ」と稼動状態「オンライン」が含まれる「端末の状態情報」を送信する（ステップＳ７７）。なお、送受信部５１が通信端末（１０ａｂ，…）に端末の状態情報を送信する際に、各端末ＩＤ（「０１ａｂ」、…）に基づいて、端末管理テーブル（図１０参照）で管理されている通信端末のＩＰアドレスを参照する。これにより、ログイン要求した要求元端末（通信端末１０ａａ）を宛先候補として通信することができる他の宛先端末（１０ａｂ，…）のそれぞれに、上記ログイン要求した要求元端末（通信端末１０ａａ）の端末ＩＤ「０１ａａ」、及び稼動状態「オンライン」を伝えることができる。これにより、宛先候補（通信端末１０ａｂ）においても、図１６に示されているような宛先候補の状態を表示させることができる（ステップＳ７８）。
【０１２５】
続いて、図１８及び図１９を用いて、通信端末１０ａａが移動体端末９０ａから、通信端末７０ｄｂを識別するための端末識別情報を取得する場合について説明する。なお、図１８は、端末識別情報の取得処理を示したシーケンス図である。図１９は、宛先の特定処理を示したフローチャートである。
【０１２６】
まず、ディスプレイ１２０上に、図１７に示されている宛先リストが表示されている状態で、拠点Ａに移動した利用者Ｘは、通信端末１０に移動体端末９０ａを近づける。一方、通信端末１０ａａでは、判断部１５が、移動体端末９０ａの近接の有無を判断する（ステップＳ８１）。以降、利用者Ｘが移動体端末９０ａを通信端末１０に近接した場合について説明する。
【０１２７】
通信端末１０ａａの取得・提供部９８ａは、近距離無線通信により、移動体端末９０ａに端末識別情報の読出要求を送信する（ステップＳ８２）。これに対して、移動体端末９０ａの記憶・読出処理部９９ａは、記憶部９０００ａから通信端末７０ｄｂの端末識別情報（ここでは、端末ＩＤ）を読み出す（ステップＳ８３）。
【０１２８】
次に、取得・提供部９８ａは、近距離無線通信により、通信端末１０ａａに端末ＩＤを送信する（ステップＳ８４）。これにより、通信端末１０ａａの取得・提供部１８は、端末ＩＤを取得する。そして、記憶・読出処理部１９は、記憶部１０００に端末ＩＤを記憶する（ステップＳ８５）。
【０１２９】
次に、通信端末１０ａａは、上記ステップＳ８５によって受信された端末識別情報（ここでは、端末ＩＤ）を用いて、宛先を識別する処理を行なう（ステップＳ８６）。ここで、図１９を用いて、ステップＳ８６の処理について詳細に説明する。
【０１３０】
図１９に示されているように、選択部１６は、端末識別情報に基づいて、これから起動する通信アプリを選択する（ステップＳ８６−１）。ここでは、端末識別情報が端末ＩＤであるため、通信開始のために端末ＩＤを必要とする通信アプリＡ１を選択する。そして、起動部１７は、通信アプリＡ１を起動させる（ステップＳ８６−２）。
【０１３１】
次に、記憶・読出処理部９９ａは、上記ステップＳ８４によって受信した端末ＩＤを検索キーとして、上記ステップＳ７０によって記憶部１０００に記憶されている宛先リスト情報を検索する（ステップＳ８６−３）。そして、ステップＳ８６−３によって、宛先リスト情報に含まれていると判断された場合には（ＹＥＳ）、後述のステップＳ１２１の処理へ進む。これに対して、ステップＳ８６−４によって、宛先リスト情報に含まれていないと判断された場合には（ＮＯ）、ステップＳ１０１の処理へ進む。
【０１３２】
続いて、図２０及び図２１を用いて、宛先リストの追加処理を説明する。図２０は、宛先リストへの追加処理を示したシーケンス図である。図２１は、宛先リストへの追加承認をする場合の画面例を示した図である。
【０１３３】
なお、ここでは、通信端末１０ａａから、通信端末７０ｄｂに対して、通信端末１０ａａの宛先リストに通信端末７０ｄｂを追加するための承認要求を行う場合について説明する。
ここでは、通信端末１０ａａは「要求元端末」であり、通信端末７０ｄｂは「要求先端末」である。
【０１３４】
まず、要求元端末（通信端末１０ａａ）の送受信部１１は、通信ネットワーク２を介して通信管理システム５０へ、宛先候補の追加要求を示す追加要求情報を送信する（ステップＳ１０１）。この追加要求情報には、要求元端末（通信端末１０ａａ）を識別するための端末ＩＤ、及び要求先端末（通信端末７０ｄｂ）を識別するための端末ＩＤ「０７ｄｂ」が含まれている。これにより、通信管理システム５０の送受信部５１は、追加要求情報を受信する。
【０１３５】
次に、通信管理システム５０では、記憶・読出処理部５９が、追加要求管理テーブル（図１２参照）の新たなレコードの要求元端末の端末ＩＤフィールドに、上記受信された要求元端末の端末ＩＤ「０１ａａ」を記憶して管理すると共に、上記新たなレコードの要求先端末の端末ＩＤフィールドに、要求先端末の端末ＩＤ「０７ｄｂ」を追加的に記憶して管理する（ステップＳ１０２）。
【０１３６】
次に、判断部５２は、要求先端末の端末ＩＤ「０７ｄｂ」に基づいて端末管理テーブル（図９参照）を検索することにより、対応する稼動状態を判断する（ステップＳ１０３）。そして、判断部５２によって、稼動状態がオンラインであるが通信を開始していないと判断された場合には、引き続き、送受信部５１は、要求先端末（通信端末７０ｄｂ）に対して、上記追加要求を承認するか否かの要求を示す追加承認要求情報を送信する（ステップＳ１０４）。この追加承認要求情報には、要求元端末の端末ＩＤ「０１ａａ」が含まれている。これにより、要求先端末（通信端末１０ｄｂ）の送受信部７１は、追加承認要求情報を受信する。
【０１３７】
次に、要求先端末（通信端末７０ｄｂ）では、表示制御部７４が、ディスプレイ７５３上に、図２１に示されているような追加要求応答画面を表示させる（ステップＳ１０５）。
【０１３８】
次に、要求先端末（通信端末７０ｄｂ）の送受信部７１は、通信管理システム５０に対して、承認、却下又は保留の追加要求応答を示す追加要求応答情報を送信する（ステップＳ１０６）。利用者Ｄが承認する場合は、追加要求応答画面の「ＹＥＳ」ボタンを押下する。利用者Ｄが却下する場合は、追加要求応答画面の「ＮＯ」ボタンを押下する。利用者Ｄが保留する場合は、追加要求応答画面の「ＣＡＮＣＥＬ」ボタンを押下する。これにより、通信管理システム５０の送受信部５１は、追加要求応答情報を受信する。ここでは、追加要求応答が「承認」する旨を示す場合につき、続けて説明する。
【０１３９】
記憶・読出処理部５９は、追加要求管理テーブル（図１２参照）で、要求元端末の端末ＩＤ「０１ａａ」に関連付けられている要求先端末の端末ＩＤ「０７ｄｂ」を、追加要求管理テーブルにおける要求元端末の端末ＩＤ「０１ａａ」と同じ宛先リスト管理テーブルにおける要求元端末の端末ＩＤ「０１ａａ」に関連付けて追加的に管理する（ステップＳ１０７）。
【０１４０】
なお、追加要求応答が「却下」する旨を示す場合には、上記ステップＳ１０７では、記憶・読出処理部５９が、追加要求管理テーブル（図１２参照）における却下された要求先端末の端末ＩＤ「０１ａａ」のレコードを削除する。また、追加要求応答が「保留」する旨を示す場合には、上記ステップＳ１０７では、記憶・読出処理部５９は追加的な管理を行わず、また、追加要求管理テーブル（図１２参照）のレコードを削除しないで放置する。
【０１４１】
次に、記憶・読出処理部５９は、要求元端末の端末ＩＤ「０１ａａ」及び要求先端末の端末ＩＤ「０７ｄｂ」に基づいて端末管理テーブル（図１０参照）を検索することにより、対応するそれぞれの各情報（宛先名、稼動状態）を読み出す（ステップＳ１０８）。そして、送受信部５１は、要求元端末（通信端末１０ａａ）及び要求先端末（通信端末７０ｄｂ）に対して、それぞれ追加完了情報を送信する(ステップＳ１０９−１，２)。このうち要求元端末（通信端末１０ａａ）に送信される追加完了情報には、追加が完了した旨を示すメッセージ、及び要求先端末（通信端末７０ｄｂ）の各情報（端末ＩＤ、宛先名、及び稼動状態）が含まれている。即ち、要求元端末（通信端末１０ａａ）には、宛先リストにおける要求先端末（通信端末７０ｄｂ）部分の各情報（端末ＩＤ、宛先名、及び稼動状態）のみが送信され、宛先リストの全体が改めて送信される訳ではない。一方、要求先端末（通信端末７０ｄｂ）に送信される追加完了情報には、追加が完了した旨を示すメッセージ、及び要求元端末（通信端末１０ａａ）の各情報（端末ＩＤ、宛先名、及び稼動状態）が含まれている。
【０１４２】
そして、要求元端末（通信端末１０ａａ）では、表示制御部１４がディスプレイ１２０上に、完了を示す画面を表示する（ステップＳ１１０−１）。一方、要求先端末（通信端末７０ｄｂ）では、表示制御部７４がディスプレイ７５３に対して、完了を示す画面を表示する（ステップＳ１１０−２）。また、通信管理システム５０側では、上記ステップＳ１１０−１，２の処理が終了すると、記憶・読出処理部５９が、追加要求管理テーブル（図１２参照）における承認された要求先端末の端末ＩＤ「０７ｄｂ」のレコードを削除することで、宛先候補の追加要求の全ての処理が終了する（ステップＳ１０１）。その後は、後述のステップ１２１の処理が自動的に開始される。
【０１４３】
続いて、図２２を用いて、通信システムを利用した画像・音の通信の準備を行なうための処理を説明する。図２２は、通信システムを利用した画像・音の通信の準備を行なうための処理を示したシーケンス図である。
【０１４４】
図１９におけるステップ８６−４において、宛先リスト情報に端末ＩＤが含まれていると判断された場合には（ＹＥＳ）、利用者Ｘは、わざわざ図１７における宛先リストから通信端末７０ｄｂを選択する必要がなく、自動的に、要求元端末（通信端末１０ａａ）から通信管理システム５０に対して、通信を開始する処理を行う。具体的には、送受信部１１は、通信ネットワーク２を介して通信管理システム５０に、通信の開始要求を示す開始要求情報を送信する（ステップＳ１２１）。この開始要求情報には、要求元端末（通信端末１０ａａ）の端末ＩＤ「０１ａａ」と宛先端末（通信端末７０ｄｂ）の端末ＩＤ「０７ｄｂ」が含まれている。これにより、通信管理システム５０の送受信部５１は、通信の開始要求情報を受信する。
【０１４５】
次に、通信管理システム５０の記憶・読出処理部５９は、開始要求情報に含まれる要求元端末（通信端末１０ａａ）の端末ＩＤ「０１ａａ」及び宛先端末（通信端末７０ｄｂ）の端末ＩＤ「０７ｄｂ」に基づき、端末管理テーブル（図１０参照）において、上記端末ＩＤ「０１ａａ」、及び端末ＩＤ「０７ｄｂ」がそれぞれ含まれるレコードの稼動状態のフィールド部分を、ともに「通話中」に変更する（ステップＳ１２２）。なお、この状態では、要求元端末（通信端末１０ａａ）、及び宛先端末（通信端末７０ｄｂ）は、ビデオ会議を開始していないが、通信中状態となり、他の通信端末が要求元端末（通信端末１０ａａ）又は宛先端末（通信端末７０ｄｂ）と通信を開始しようとすると、いわゆる通信中状態を示す旨の通知音又は表示が出力される。
【０１４６】
次に、通信管理システム５０の記憶・読出処理部５９は、上記ステップＳ１２１の処理によって受信された要求元端末（通信端末１０ａａ）及び宛先端末（通信端末７０ｄｂ）の各端末ＩＤを検索キーとして、端末管理テーブル（図１０参照）を検索することにより、対応する各ＩＰアドレスを読み出す（ステップＳ１２３）。
【０１４７】
そして、通信管理システム５０の送受信部５１は、上記ステップＳ１２３で読み出された宛先端末（通信端末７０ｄｂ）のＩＰアドレスに対して、通信の開始要求情報を送信する（ステップＳ１２４）。この開始要求情報には、上記ステップＳ１２１の処理によって受信された各端末ＩＤ「０１ａａ」，「０７ｄｂ」が含まれている。これにより、宛先端末（通信端末７０ｄｂ）の送受信部７１は、開始要求情報を受信する。
【０１４８】
これに対して、宛先端末（通信端末７０ｄｂ）の送受信部７１は、通信管理システム５０に対して、応答可否を示す応答可否情報を送信する（ステップＳ１２５）。これにより、通信管理システム５０の送受信部５１は、応答可否情報を受信する。応答可否情報は、通信可能、又は通信不可能である旨を示すが、ここでは、通信可能である旨を示す場合について、以下に説明する。
【０１４９】
通信管理システム５０の送受信部５１は、中継装置３０に対して、中継の開始要求を示す中継開始要求情報を送信する（ステップ１２６）。この中継開始要求情報には、上記ステップＳ１２３の処理によって読み出された各ＩＰアドレスが含まれている。これにより、中継装置３０の送受信部３１は、中継開始要求情報を受信する。
【０１５０】
更に、通信管理システム５０の送受信部５１は、要求元端末（通信端末１０ａａ）に対して、上記ステップＳ１２５の処理で受信された応答可否情報を送信する（ステップＳ１２７）。これにより、要求元端末（通信端末１０ａａ）の送受信部１１は、応答可否情報（ここでは、通信可能）を受信する。
【０１５１】
以上により、要求元端末（通信端末１０ａａ）、中継装置３０、及び宛先端末（通信端末７０ｄｂ）の間で、画像・音通信セッション（第２の通信セッション）を確立する（ステップＳ１２８−１，２）これにより、通信端末１０ａａ，７０ｄｂ）は、２拠点でビデオ会議の通話を開始することができる。
【０１５２】
＜＜本実施形態の主な効果＞＞
以上説明したように本発明によれば、利用者Ｘの移動体端末９０ａによって拠点Ｄの通信端末７０から通信端末７０の端末識別情報を取得し、利用者Ｘが拠点Ｄから拠点Ａへの移動後に、拠点Ａの通信端末１０に対して端末識別情報を提供することで、通信端末１０，７０間で通信を開始するまでの時間を短縮することができるという効果を奏する。
【０１５３】
即ち、従来、通信端末１０が通信端末７０と通信する場合、利用者Ｘが宛先リストから通信端末７０の端末識別情報を選択している。しかし、宛先リストに多数の通信端末の端末識別情報が管理されている場合には、選択に時間が掛かるため、通信を開始するまでに時間が掛かってしまう。これに対して、本実施形態の通信端末１０は、通信端末７０から端末識別情報を取得した移動体端末９０ａから、この端末識別情報を取得し（Ｓ８４参照）、この端末識別情報で識別される通信端末７０に対し、通信セッション２を介して通信を開始する処理を行う（Ｓ１２１参照）。これにより、利用者Ｘは、宛先リストに多数の通信端末の端末識別情報が管理されている場合であっても、端末識別情報の選択をしなくても済むため、複数の通信端末間で通信を開始するまでの時間を短縮することができる。
【０１５４】
更に、従来、各通信端末１０，７０が複数の通信アプリＡ１，Ａ２，Ａ３を有している場合、通信端末１０が通信端末７０（相手側）と通信するためには、通信プロトコルの違いにより、端末ＩＤ、ＩＰアドレス、又は電子メールアドレス等を、通信端末７０を識別するための端末識別情報として自己側の通信端末１０に入力又は選択しなければならない。これに対して、本実施形態の通信端末１０は、複数の通信アプリＡ１，Ａ２，Ａ３のうち、通信端末７０の端末識別情報の記述形式に基づいて、特定の通信アプリを起動する起動ことができると共に（Ｓ８６−１，２参照）、通信ネットワーク２上の通信先としての通信端末７０を識別することができる（Ｓ８６−３参照）。これにより、通信を始めるまでに時間が掛かってしまうという課題を解決することができる。
【０１５５】
＜＜実施形態の補足＞＞
上記実施形態では、近距離無線通信によって識別情報の提供及び取得の処理を行なったが、これに限るものではない。例えば、ＵＳＢケーブル等を利用して有線通信により提供及び取得の処理を行なってもよい。
【０１５６】
また、通信端末の一例として、ビデオ会議端末及び電子黒板であるオフィス機器について説明したが、これに限るものではない。通信端末の他の例として、ＩＰ(Internet Protocol)電話機、インターネット電話機、カーナビゲーション端末、監視カメラが含まれる。また、他のオフィス機器として、プリンタ、ＦＡＸ、ＭＦＰ(Multifunction Peripheral/Printer/Product)等が挙げられる。更に、通信端末には、医療機器が含まれる。医療機器には、電子内視鏡、放射線治療装置等が含まれる。
【０１５７】
また、移動体端末の一例として、スマートフォンである携帯通信端末について説明したが、これに限るものではない。携帯通信端末の他の例として、携帯電話機、デジタルカメラ、携帯ゲーム機、ＩＣカード、又はウェアラブルコンピュータ等が含まれる。ウェアラブルコンコンピュータには、スマートウォッチ、ヘッドマウントディスプレイ等が含まれる。
【０１５８】
また、上記実施形態では、コンテンツデータの一例として、画像データ及び音データについて説明したが、これに限るものではなく、触覚(touch)データであってもよい。この場合、一方の端末側でユーザが接触した感覚が、他方の端末側に伝達される。更に、コンテンツデータは、嗅覚（smell）データであってもよい。この場合、一方の端末側の匂い（臭い）が、他の端末側に伝達される。また、コンテンツデータは、画像データ、音データ、触覚データ、及び嗅覚データのうち、少なくとも１つのデータであればよい。
【０１５９】
また、上記実施形態では、通信システム１によってビデオ会議をする場合について説明したが、これに限るものではなく、打ち合わせ、家族間や友人間等の一般的な会話、又は、一方向での情報の提示に使用されても構わない。
【０１６０】
更に、電子黒板としての通信端末７０はサイズが大きいため、通信管理システム５０及び中継装置３０の機能を通信端末７０に代行させてもよい。この場合、拠点Ａと拠点Ｄとの間のシステム構成をイントラネット（オンプレミス型）で構築することができるため、セキュリティを向上させることができる。
【０１６１】
また、上記実施形態では、記憶要求や読出要求について、ＮＦＣ等の近距離無線通信の例を説明したが、超音波通信を用いてもよい。
【０１６２】
更に、上記で説明した実施形態の各機能は、一又は複数の処理回路によって実現することが可能である。ここで、処理回路は、電子回路により実装されるプロセッサのようにソフトウェアによって各機能を実行するようプログラミングされたプロセッサや、上記で説明した各機能を実行するよう設計されたASIC(Application Specific Integrated Circuit)、DSP（Digital Signal Processor）、FPGA（Field Programmable Gate Array）や従来の回路モジュール等のデバイスを含む。
【符号の説明】
【０１６３】
１  通信システム
２  通信ネットワーク
３  通信ネットワーク
１０  通信端末（通信端末の一例）
１１  送受信部（開始手段の一例、送信手段の一例、受信手段の一例）
１５  判断部
１６  選択部（選択手段の一例）
１７  起動部（起動手段の一例）
１８  取得・提供部（取得手段の一例）
３０  中継装置
５０  通信管理システム
７０  通信端末（他の通信端末の一例）
７１  送受信部（開始手段の一例）
７５  判断部
７６  選択部（選択手段の一例）
７７  起動部（起動手段の一例）
７８  取得・提供部（取得手段の一例）
９０ａ  移動体端
９０ｂ  移動体端末
５０００  記憶部
５００１  認証管理ＤＢ
５００２  端末管理ＤＢ
５００３  宛先リスト管理ＤＢ
５００４  追加要求管理ＤＢ
【先行技術文献】
【特許文献】
【０１６４】
【特許文献１】特開２０１２−１７８１３５号公報
【図１】
0006736919.tif 000002
【図２】
0006736919.tif 000003
【図３】
0006736919.tif 000004
【図４】
0006736919.tif 000005
【図５】
0006736919.tif 000006
【図６】
0006736919.tif 000007
【図７】
0006736919.tif 000008
【図８】
0006736919.tif 000009
【図９】
0006736919.tif 000010
【図１０】
0006736919.tif 000011
【図１１】
0006736919.tif 000012
【図１２】
0006736919.tif 000013
【図１３】
0006736919.tif 000014
【図１４】
0006736919.tif 000015
【図１５】
0006736919.tif 000016
【図１６】
0006736919.tif 000017
【図１７】
0006736919.tif 000018
【図１８】
0006736919.tif 000019
【図１９】
0006736919.tif 000020
【図２０】
0006736919.tif 000021
【図２１】
0006736919.tif 000022
【図２２】
0006736919.tif 000023